(57)【要約】【課題】本発明は一台の機械で多種類の穀物の粗選篩いと精粒作用をなす高精度で効率的な汎用選別機を提供するものである。【解決手段】粗い異物除去する粗選部と、その粗選された穀粒を受けてさらに雑片粉塵を風力によって選別しながら精粒する風選部とからなる穀類選別機において、粗選部の篩網目を穀粒の性状別に部品ユニットとして数種用意して着脱交換可能に構成するとともに、風選部の送風ファンの電動モーターを前記した穀類の性状別に対応する回転数変換手段を具備して一台で多種類の穀粒を選別する穀類選別装置である。【選択図】図２
2013144288.tif 000002
【特許請求の範囲】
【請求項１】
粗い異物除去する粗選部と、その粗選された穀粒を受けてさらに雑片粉塵を風力によって選別しながら精粒する風選部とからなる穀類選別機において、粗選部の篩網目を穀粒の性状別に篩部品ユニットとして数種用意して着脱交換可能に構成するとともに、風選部の送風ファンの電動モーターを前記した穀類の性状別に対応する回転数変換手段を具備して一台で多種類の穀粒を選別する穀類選別装置
【請求項２】
送風ファンの電動モーター回転数は無段階に調整可能なインバーター制御である請求項１の穀類選別装置
【請求項３】
回転数変換手段は回転径を調節する変速プーリーによって回転数を増減調節する請求項１の穀類選別装置
【請求項４】
租選部の篩網目は一側へ傾斜して配置されて粗い異物は独立して装置外に排出される請求項１の穀類選別装置
【請求項５】
粗選部の篩網目ユニットは数種用意されて篩枠体に対して互換性を有して弾性体により支承されワンタッチで着脱交換可能とした請求項１記載の穀類選別装置である。
【発明の詳細な説明】
【技術分野】
【０００１】      本発明は、大豆、小豆、菜種、そば、麦、米等の汎用選別装置に関する。
【背景技術】
【０００２】  穀類選別は古くから唐箕が知られる。唐箕は各種の穀類を風力を利用して選別する農機具で、その作用部は、材料供給用の漏斗、羽根車を納めた起風胴および選別風胴から構成されている。漏斗から起風胴に落とされた材料は、羽根車から横風を受けて一番手前に精粒、遠方に夾雑物、その中間にくず粒が落下する。米や麦、豆類などの選別に利用され、特に使用に当たっては長年の経験に裏打ちされた人が最適回転数を選んで一定の精粒選別を達成するものである。
国策による水田の大型化に伴い唐箕の選別部を組み込んで自動脱穀機などに応用発展している為、単体としての唐箕を見かけることが少なくなった。近年は転作向けの豆、麦、蕎麦などの刈り取り乾燥後に用いる脱穀と風選別を組み合わせた専用の脱穀機として利用されており、例えば、特許文献１が知られる。また籾摺り選別機における風量調節機構としては特許文献２が知られる。
さらに大型コンバインにおいては、稲の刈り取りに続いて脱穀部、続いて選別作業が自動化されており、特に籾の精粒部においては、刈り取り移送する収量の増減に対応する風量制御システムを設けて一定の選別品質を保持する構成として特許文献３が知られる。
【先行技術文献】
【特許文献】
【０００３】
【特許文献１】実開昭５８−８３２４９号公報
【特許文献２】特許第４４８３１２２号公報
【特許文献３】特許第３４４０４８０号公報
【発明の概要】
【発明が解決しようとする課題】
【０００４】  前記特許文献１で提案されている脱穀機における選別装置においては籾等の穀類に対して、扱き室の受け編みから漏下する穀粒を揺動による揉解作用と選別、風による風選作用により穀粒と藁屑を分離する脱穀機の構成に関するものである。また特許文献２においては籾摺り選別機における風量調節機構が開示され、一つの吸排塵フアンにより脱ぷ後の混合物に対する籾殻風選別および風選後の混合米から選別された玄米に対する仕上げ風選別作用の二つの選別を良好に行うための風量調節装置を提供したものである。
また特許文献３は大型コンバイン等の脱穀風選部の構成に関し、刈り取った脱穀物の移送収量を検出するセンサーを設けて移送層圧を検出し、予め演算した制御基準値に沿って風力モーターが出力されて、風量調節弁が適宜に作動し一定の選別精度を得る。【０００５】  然るに近年、小規模農家や、個人農家では休耕田に対する転作作物である大豆、小豆、菜種、そば、麦等の収穫に当たってはそれぞれ専用の揺動式の粗選篩い作業の後に、さらに別工程で唐箕の送風ファンの回転を調整しながら風選作業をしており非効率なものであった。そこで本発明は一台の機械で多種類の穀物の粗選篩いと精粒作用をなす高精度で効率的な汎用選別機を提供せんとするものである。
【課題を解決するための手段】
【０００６】  前記目的を達成する為に、請求項１記載の粗い異物除去する粗選部と、その粗選された穀粒を受けてさらに雑片粉塵を風力によって選別しながら精粒する風選部とからなる穀類選別機において、粗選部の篩網目を穀粒の性状別に篩部品ユニットとして数種用意し着脱交換可能に構成するとともに、風選部の送風ファンの電動モーターを前記した穀類の性状別に対応する回転数変換手段を具備して一台で多種類の穀粒を選別する穀類選別装置である。
また請求項２記載の送風ファンの電動モーター回転数は無段階に調整可能なインバーター制御である請求項１記載の穀類選別装置
また請求項３に記載の回転数変換手段は回転径を調節する変速プーリーによって回転数を増減調節する請求項１の穀類選別装置である。
また請求項４記載の租選部の篩網目は一側へ傾斜して配置されて、粗い異物は独立して装置外に排出される請求項１の穀類選別装置である。
請求項５に記載の粗選部の篩部品ユニットは数種用意されて篩枠体に対して互換性を有して弾性体により支承されワンタッチで着脱交換可能とした請求項１記載の穀類選別装置である。
【発明の効果】
【０００７】  本発明は以上の構成により一台の機械で多種類の穀物の粗選篩いと精粒作用をなす効率的な汎用選別機を提供したものである。個人農家や小規模の農家においては一台で多種の穀類について選別できるので経済的である。また送風ファンの電動モーター回転数は無段階に調整可能なインバーター制御であるので、穀粒の比重や、形状に合わせて微妙な調整が可能となり選別性能を向上できる。また回転数変換手段は回転径を調節する変速プーリーによって回転数を増減調節出来るので回転数の調節と同時に装置自体の重量を軽量に製作できる。また租選部の篩網目は一側へ傾斜して構成しているので収穫時に混入した茎葉や粗い異物を風選部内に混入させることも無く、独立して装置外に排出するので、送風ファンの負荷を分散させ、モーター負荷を軽減する効果がある。又、粗選部の篩網目ユニットは数種用意され互換性を有して弾性体によりワンタッチで着脱交換可能としたので、部品ユニットの交換作業も極めて簡単に工具も不要であり便利である。
【図面の簡単な説明】
【０００８】
【図１】は本発明を実施した概観斜視図である。
【図２】は選別の作用を示す１部を省略した正面図
【図３】は１部を断面とした右側面図
【図４】は篩部品ユニット交換説明図
【図５】は篩部品ユニットの断面図
【発明を実施するための形態】
【０００９】本発明の実施形態は粗い異物除去する粗選部と、その粗選された穀粒を受けてさらに雑片粉塵を風力によって選別しながら精粒する風選部とからなる穀類選別機において、粗選部の篩網目を穀粒の性状別に篩網目ユニットとして数種用意して着脱交換可能に構成するとともに、風選部の送風ファンの電動モーターを前記した穀類の性状別に対応する回転数変換手段を具備して一台で多種類の穀粒を選別する穀類選別装置である。
【実施例】
【００１０】  本発明を実施した図面に基づいて構成を説明する。
図１は本発明を実施した概観斜視図を示して、上方には粗い異物除去する粗選部１を配置して、その下方には、その粗選された穀粒を受けてさらに雑片粉塵を風力によって選別しながら精粒する風選部２を配置して穀類選別機を構成する。粗選部１の篩網目を穀粒の性状別に篩網目２２を取り付けた篩部品ユニット３として数種用意して着脱交換可能に構成する。租選部１の篩網目２２は一側へ傾斜して配置され、選別された粗い異物は独立して装置外に排出される異物排出口７を設けてなる。風選部２は風選胴体１３と、公知の１番口１１、２番口１２を設けて内装する送風ファンによって粉塵を排出筒３０から放出する。４は電源スイッチであり、電動モーターを穀類の性状別に対応する回転数に変換する。回転数の変換装置は本実施例では送風ファンを無段階に調整可能なインバーター制御である。また回転数の変換装置は回転径を調節する変速プーリーによって回転数を増減調節する構成でも同様の効果を発揮する。９，１０は風選胴体１３に送られた穀粒の選別仕切りを調整する仕切り板調整レバーである。５は投入ホッパーを示し、６のシャッターハンドルによって供給する穀粒原料の量を設定する。
図２は選別の作用を示す１部を省略した正面図であるが、篩部品ユニット３を内装した枠体１６は減速モーター１８の回転力を、ロッド１９、カム軸２０を介して揺動させる。投入ホッパー５から原料が送られると篩目を通過した穀粒は枠体１６の滑動室２８の底板２５を滑り２５の落下シュートへ案内される。風選胴体１３は１５のケーシング内の送風羽１４の吸引力によって前記した落下シュート２４からの穀粒を１番口１１、２番口１２と順番に重量選別して粉塵はケーシングに吸引してさらに排出筒３０から放出する。１７は前記した電動モーターを示し、回転軸２９を設定した回転数で駆動する。８は風量調節窓を示し、調節板の適宜な開閉でケーシング内の風量調整をする。
図３は１部を断面とした右側面図であり、１８の減速モーターはベルト伝達により、カム軸２０の変心力によってロッド９を介して枠体１６を搖動させる。１３の風胴体はケーシング１５の左右にまたがり送風羽１４を支承する回転軸２９の周辺より粉塵を吸入する。吸入された粉塵は排出筒３０を経由して放出される。
図４は篩部品ユニット交換説明図を示し、篩部品ユニット３は支持枠２３の上辺に篩網目２２を配置してなる。篩網目２２は穀類の種類によって豆類は丸穴、麦や米類は網状の篩で所定の大きさに設定して多種類の用意をした。一方枠体１６は前記篩ユニット３を内装可能とし、さらに、篩網目２２の下部に設けた支持枠２３を嵌入させる滑動室２８を設ける。滑動室２８の先端には落下シュート２４を設ける。２７は当て部を示し、支持枠２３の上辺部を形成して枠体１６側の弾性体２６を押圧固定する。したがって、篩部品ユニット３の篩網目２２の交換は、枠体１６の滑動室２８に対して支持枠２３の上辺部の当て部２７を弾性体２６に対して押圧すればワンタッチで交換が出来る。
図５は篩部品ユニットの断面図を示す。前記した投入ホッパー５から投入された穀類は、篩目を通過して底板２５を滑動して下方へ移動して、落下シュート２４へ移送する。篩目を通過しない粗い異物は篩上面を下降して７の異物排出口７へ移動して、風選別の前に独立的に排除される。従っての後作業の風選別のモーター動力負荷も軽減される。
【産業上の利用可能性】
【００１２】  本発明は農産物の水田転作作物である穀類の選別機として利用される。また近年においては建築物の解体廃材の選別や、土木資材の土砂の選別機としても活用されることが期待される。
【符号の説明】
【００１３】１  粗選部
２  風選部
３  篩部品ユニット
４  電源スイッチ
５  投入ホッパー
６  シャッターハンドル
７  異物排出口
８  風量調節窓
９、１０  仕切板調整レバー
１１  １番口
１２  ２番口
１３  風選胴体
１４  送風羽根
１５  ケーシング
１６  枠体
１７  電動モーター
１８  減速モーター
１９  ロッド
２０  カム軸
２１  転輪
２２  篩網目
２３  支持枠
２４  落下シュ−ト
２５  底板
２６  弾性体
２７  当て部
２８  滑動室
２９  回転軸
３０  排出筒
【図１】
2013144288.tif 000003
【図２】
2013144288.tif 000004
【図３】
2013144288.tif 000005
【図４】
2013144288.tif 000006
【図５】
2013144288.tif 000007